(57)【要約】【課題】新種の印刷機コントロールスタンドを提供する。【解決手段】印刷機コントロールスタンドであって、一方では、対象を表示するために用いられ、他方では、印刷機制御システムのための指令及び／又は演算子を入力するために用いられる、組み合わされた表示兼操作装置１１が設けられており、該表示兼操作装置が、投影平面１２を形成しているプレート状又はディスク状の投影部材１３を有しており、該投影部材において、表示すべき対象が、投影器１５を介して逆投影方式で可視化可能であり、表示兼操作装置が、さらに、監視装置を有しており、該監視装置が、投影部材と入力部材との間の相対位置を、前記入力部材を介して入力すべき指令及び／又は演算子を検知するために検知し、印刷機制御システムに伝送するようになっている。【選択図】図２
2006130918.tif 000002
【特許請求の範囲】
【請求項１】
印刷機コントロールスタンドであって、一方では、対象、特に印刷機状態及び／又は印刷機機能部材及び／又は印刷機操作部材を表示するために用いられ、他方では、印刷機制御システムのための指令及び／又は演算子を入力するために用いられる、組み合わされた表示兼操作装置（１１）が設けられており、該表示兼操作装置（１１）が、投影平面（１２）を形成しているプレート状又はディスク状の投影部材（１３）を有しており、該投影部材（１３）において、表示すべき対象、特に印刷機状態及び／又は印刷機機能部材及び／又は印刷機操作部材が、投影器（１５）を介して逆投影方式で可視化可能であり、表示兼操作装置（１１）が、さらに、監視装置を有しており、該監視装置が、投影部材（１３）と入力部材との間の相対位置を、入力部材を介して入力すべき指令及び／又は演算子を検知するために検知し、印刷機制御システムに伝送するようになっていることを特徴とする印刷機コントロールスタンド。
【請求項２】
投影部材（１３）が、操作員に対する相対位置に関して調節可能に形成されている、請求項１記載の印刷機コントロールスタンド。
【請求項３】
投影部材（１３）が高さ調節可能及び旋回可能に形成されている、請求項１又は２記載の印刷機コントロールスタンド。
【請求項４】
投影部材（１３）が、凸状に湾曲した表面（１４）又は凹状に湾曲した表面（１４）を有している、請求項１から３までのいずれか１項記載の印刷機コントロールスタンド。
【請求項５】
投影部材（１３）の機能性が、ユーザインタフェースとしてソフトウェア技術的に自由に規定可能若しくは構成可能である、請求項１から４までのいずれか１項記載の印刷機コントロールスタンド。
【請求項６】
投影部材（１３）の、専ら印刷機状態及び／又は印刷機機能部材を表示するために用いられる領域（１８，１９）が、ソフトウェア技術的に規定可能若しくは構成可能である、請求項５記載の印刷機コントロールスタンド。
【請求項７】
投影部材（１３）の、印刷機操作部材を表示するために用いられかつ可視化された印刷機操作部材の領域において指令及び／又は演算子を入力するために用いられる領域（２０）が、ソフトウェア技術的に規定可能若しくは構成可能である、請求項５又は６記載の印刷機コントロールスタンド。
【請求項８】
監視装置が、光検出器アレイ（２３）を形成している少なくとも２つの光検出器装置（２０，２１）を有しており、該光検出器装置が、投影部材（１３）と入力部材との間の相対位置を、入力部材を介して入力すべき指令及び／又は演算子を検知するために求めるようになっている、請求項１から７までのいずれか１項記載の印刷機コントロールスタンド。
【請求項９】
監視装置が、少なくとも２つのカメラを有しており、該カメラが、投影部材と入力部材との間の相対位置を、入力部材を介して入力すべき指令及び／又は演算子を検知するために求めるようになっている、請求項１から７までのいずれか１項記載の印刷機コントロールスタンド。
【発明の詳細な説明】
【技術分野】
【０００１】
本発明は、請求項１の上位概念部に記載した形式の印刷機コントロールスタンドに関する。
【背景技術】
【０００２】
従来技術に基づき公知の、印刷機のためのコントロールスタンドは、印刷機状態及び／又は印刷機機能部材のような対象を可視化するための少なくとも１つの表示装置と、印刷機制御システムのための指令及び／又は演算子を入力するための少なくとも１つの操作装置とを有している。従来技術によれば、表示装置は操作装置から分離されていて、別個の構成群として形成されているが、タッチスクリーン使用も既に公知である。一般に、表示装置はディスプレイ若しくはモニタであり、操作装置はキーボードであるか又はその他のハードウェア技術的に形成された操作装置例えばスイッチ又はボタンである。特にウェブ印刷機は、顧客によって注文された構成若しくは機能性に依存して相異なっているので、従来技術によれば、印刷機の印刷機コントローススタンド若しくは装備も顕著に相異なっている。このことから直接に結論されるのは、従来技術によれば、印刷機の、顧客によって注文された構成に依存して、個人的に適合された印刷機コントローススタンドは、ハードウェア技術的及びソフトウェア技術的に形成されるということである。このことによって、印刷機コントローススタンドの構造を標準化することはほとんど不可能になる。従来技術に基づき公知のこのような印刷機コントロールスタンドの機能性を拡張したい場合には、通常、付加的な表示装置及び／又は付加的な操作装置を印刷機コントロールスタンドに設置することが必要とされる。付加的な表示装置及び操作装置の追加によって既存の印刷機コントロールスタンドを拡張することは、費用及び人間工学上の理由から不利である。すなわち、付加的な表示装置及び操作装置を既存の印刷機コントロールスタンドに追加することによって、印刷機コントロールスタンドのユーザフレンドリが損なわれる。このことによって、さらに、印刷機コントロールスタンドのための費用が増大してしまう。
【発明の開示】
【発明が解決しようとする課題】
【０００３】
前記のことから出発して、本発明の課題は、新種の印刷機コントロールスタンドを提供することである。
【課題を解決するための手段】
【０００４】
前記課題は、請求項１記載の印刷機コントロールスタンドによって解決される。本発明による印刷機コントロースルタンドは、一方では、対象、特に印刷機状態及び／又は印刷機機能部材及び／又は印刷機操作部材を表示するために用いられ、他方では、印刷機制御システムのための指令及び／又は演算子を入力するために用いられる、組み合わされた表示兼操作装置を有しており、該表示兼操作装置は、投影平面を形成しているプレート状又はディスク状の投影部材を有しており、該投影部材において、表示すべき対象、特に印刷機状態及び／又は印刷機機能部材及び／又は印刷機操作部材が、投影器を介して逆投影方式で可視化可能であり、表示兼操作装置は、さらに、監視装置を有しており、該監視装置が、投影部材と入力部材との間の相対位置を、入力部材を介して入力すべき指令及び／又は演算子を検知するために検知し、印刷機制御システムに伝送するようになっている。
【０００５】
本発明による印刷機コントロールスタンドは、組み合わされた表示兼操作装置を特徴とする。該組み合わされた表示兼操作装置は、投影平面を形成している投影部材を有しており、該投影平面において、表示すべき対象が逆投影によって可視化可能である。したがって、投影部材は、ソフトウェア技術的に、単に印刷機状態及び／又は印刷機機能部材を表示するために用いられるか又は他方では印刷機操作部材を表示するためにかつ指令及び／又は演算子を印刷機操作部材の領域に入力するために用いられる領域に、分解され得る。監視装置を用いて入力部材と投影部材との間の相対位置を求めることができ、この場合、入力部材と投影部材との間の相対位置から、入力すべき指令及び／又は演算子を求めることができる。
【発明の効果】
【０００６】
本発明による印刷機コントロールスタンドによって、印刷機コントロールスタンドの構造を標準化することが可能になる。印刷機コントロールスタンドの機能性は、単なるソフトウェアの変更によって拡張若しくは変更され得る。ハードウェアの構成変更は、印刷機コントロールスタンドの機能性拡張のためにはもはや必要ではなくなる。このことによって、人間工学的な利点及び費用に関する利点が得られる。本発明による印刷機コントロールスタンドは、簡単に拡張可能若しくは変更可能なユーザインタフェースを提供する。
【０００７】
本発明の有利な実施態様は、従属請求項及び以下の説明から得られる。本発明の実施例は、当該実施例に限定されないが、図面に基づきより詳しく説明される。
【発明を実施するための最良の形態】
【０００８】
以下に、本発明を図１〜図５に関連づけてより詳しく説明する。
【０００９】
図１及び図２には、本発明による印刷機コントロールスタンド１０の第１の実施例を示してある。この場合、印刷機コントロールスタンド１０は、組み合わされた表示兼操作装置１１を有している。該組み合わされた表示兼操作装置１１は、一方では、印刷機状態及び／又は印刷機機能部材及び／又は印刷機操作部材のような対象を表示するために用いられ、他方では、印刷機制御システムのための指令及び／又は演算子を入力するために用いられる。
【００１０】
前記組み合わされた表示兼操作装置１１は、投影平面１２を形成しているプレート状又はディスク状の投影部材１３を有している。この投影部材１３の投影平面１２は、当該投影部材１３の表面によって形成される。投影部材１３の表面１４若しくは投影平面１２には、表示すべき対象が、投影器１５を介して逆投影方式で可視化可能である。このために投影器１５は、図２から窺えるように、複数の鏡１６，１７と協働する。これらの鏡は、最終的に、表示すべき対象を投影部材１３の表面１４若しくは投影平面１２に投影する。
【００１１】
図４には、投影部材１３の表面１４若しくは投影平面１２の概略平面図を示してある。この場合、投影部材１３の表面１４若しくは投影平面１２は、図４の実施例では、全部で５つの領域に分割されている。第１の領域１８は印刷機状態を表示するために用いられ、第２の領域１９は印刷機機能部材を表示するために用いられ、領域２０は印刷機操作部材を表示するために用いられる。ここで指摘しておきたいのは、これらの領域１８，１９，２０がソフトウェア技術的に自由に規定可能であるということである。したがって、単なるソフトウェア技術的な変更を介して、例えば、印刷機操作部材を表示するための領域２０の個数が変化可能である。このことによって、表示兼操作装置１１はその機能性に関して容易に拡張され得る。
【００１２】
領域１８，１９は専ら対象を表示するために、つまり、印刷機状態及び印刷機機能部材を表示するために用いられる。これに対して領域２０は、一方では、印刷機操作部材を表示するために用いられ、他方では、指令及び／又は演算子を入力するために用いられる。しかもこのために、投影部材１３と入力部材（図示せず）との相対位置が、監視装置によって検知される。投影部材と入力部材との間の相対位置から、入力すべき指令及び／又は演算子が推論され得る。この指令及び／又は演算子は、次いで、自動的に印刷機制御システムに伝送される。
【００１３】
印刷機操作部材が可視化される領域１８，１９において指令及び／又は演算子を入力するための入力部材（図示せず）は、例えば入力ピンとして形成されていてよい。入力部材と投影部材１３の表面１４若しくは投影平面１２との間の相対位置を監視するための監視装置は、例えば、図５に示してあるように、２つの（ライトバリヤ等の）光検出器装置（Lichtschrankeneinrichtungen）によって形成されていてよい。両光検出器装置２１，２２は、点線によって示された光検出器アレイ２３を形成している。しかも、前記入力部材が表面１４若しくは投影平面１２の領域内に到達した場合には、光検出器アレイ２３は当該アレイの１つの位置で中断される。例えば、印刷機操作部材を可視化するために用いられる領域２０のうちの１つの領域内へ前記入力部材が移動させられた場合には、このことから、当該領域２０において可視化される印刷機操作部材が作動させられなければならないことが推論され得る。これに応じて、入力部材と投影部材１３の投影平面１２との間の相対位置からは、印刷機制御システムのための指令若しくは演算子が入力されなければならないかどうかが推論され得、かつ印刷機制御システムのためにどのような指令若しくは演算子が入力されなければならないかが推論され得る。これに対して、入力部材が例えば専ら印刷機状態を表示するために用いられる領域１８に存在する場合には、このことから、いかなる指令若しくは演算子も入力されるべきではないことが推論され得る。
【００１４】
光検出器装置２１，２２を用いて監視する前記監視装置の構成は、単に１つの可能な手段でしかないことを指摘しておきたい。したがって、投影部材１３若しくは該投影部材１３の投影表面１２と入力部材との間の相対位置を、投影部材１３の上方に位置決めされている２つのカメラを介して監視することも可能である。やはり同様に、演算子若しくは指令の入力のために投影部材１３の投影表面１２に対して相対移動させられる入力部材の具体的な構成は、例えばコンピュータマウスが使用されるように、変化可能である。さらに、図５の実施例では、操作員は指を入力部材として使用することもできる。
【００１５】
本発明による印刷機コントロールスタンド１０の人間工学的な使い心地を高めるために、投影部材１３は、操作員に対する相対位置に関して調節可能に形成されている。このために、投影部材１３は、矢印２４の方向で高さ調節可能に形成されていて、矢印２５の方向で旋回可能に形成されている。このことによって、投影部材１３の投影表面１２に対する視角は、その都度の操作員に最適に適合され得る。
【００１６】
図１及び図２の実施例では、投影部材の表面１４若しくは投影平面１２は平坦に形成されている。図３に示してあるように、投影部材１３の表面は凹状に湾曲していてもよいか又は凸状に湾曲していてもよい。図３では、投影部材１３の、凸状に湾曲した表面１４を実線で示してあり、投影部材１３の、凹状に湾曲した表面１４を一点鎖線で示してある。投影部材１３の表面１４若しくは投影平面１２の、対応する湾曲によって、当該表面若しくは投影平面の読取り可能性が改善され得る。
【００１７】
投影部材の表面における印刷機状態及び／又は印刷機機能部材及び／又は印刷機操作部材の投影若しくは表示を介して、印刷機コントロールスタンドにおいて、ソフトウェア技術的に構成され得るユーザインタフェースが提供される。このことによって、高いフレキシビリティが得られる。なぜならば、ユーザインタフェース若しくは印刷機コントロールスタンドは、単なるソフトウェアの変更によって、構成変更及び拡張され得るからである。したがって、本発明による印刷機コントロールスタンドはあらゆる印刷機構成に対して同一に構成され得るので、印刷機コントロールスタンドに関する製作バリエーションが、従来技術に比べて著しく減少され得る。このことによって、製作費用が低減され得る。
【００１８】
最後に、本発明による印刷機コントロールスタンド１０が表示兼操作装置１１のほかに、有利には側方で表示兼操作装置１１の隣に位置決めされている、印刷サンプル用の鑑定テーブルを有していてよいことを指摘しておく。この鑑定テーブル上に、印刷機の操作員は印刷サンプルを目視検査するために格納する。
【図面の簡単な説明】
【００１９】
【図１】本発明による印刷機コントロールスタンドを示す概略側面図である。
【図２】図１の本発明による印刷機コントロールスタンドを示す別の概略図である。
【図３】本発明による択一的な印刷機コントロールスタンドを示す概略側面図である。
【図４】本発明による印刷機コントロールスタンドの、投影平面を形成している投影部材を示す概略平面図である。
【図５】図４の投影部材を監視装置と共に示す別の概略平面図である。
【符号の説明】
【００２０】
１０  印刷機コントロールスタンド
１１  表示兼操作装置
１２  投影平面
１３  投影部材
１４  表面
１５  投影器
１６  鏡
１７  鏡
１８  領域
１９  領域
２０  領域
２１  光検出器装置
２２  光検出器装置
２３  光検出器アレイ
２４  矢印
２５  矢印
【図１】
2006130918.tif 000003
【図２】
2006130918.tif 000004
【図３】
2006130918.tif 000005
【図４】
2006130918.tif 000006
【図５】
2006130918.tif 000007